(57)【要約】【課題】無線接続の切断によって中断された音楽等のコンテンツデータの再生を自動的に再開することが可能な電子機器を実現する。【解決手段】オーディオプレーヤ１０はオーディオデータを無線信号によってヘッドフォン２０に送信する。オーディオデータの送信中にオーディオプレーヤ１０とヘッドフォン２０との間の無線接続が切断された場合、オーディオプレーヤ１０は、その切断によって送信が中断されたオーディオデータに関するステータスデータをステータスデータベース３５に保存する。ヘッドフォン２０がオーディオプレーヤ１０に再接続された場合、オーディオプレーヤ１０は、ステータスデータに基づいて、送信が中断されたオーディオデータの送信を自動的に再開する。【選択図】　図１
2004128673.tif 000002
【特許請求の範囲】
【請求項１】
コンテンツデータを再生可能な外部機器に無線接続可能な電子機器において、
再生対象のコンテンツデータを前記電子機器に無線接続された前記外部機器に無線信号によって送信する手段と、
前記コンテンツデータの送信中に前記外部機器と前記電子機器との間の無線接続が切断された場合、前記切断によって送信が中断されたコンテンツデータに関するステータス情報を保存する手段と、
前記電子機器と前記外部機器との無線接続が新たに確立された場合、前記ステータス情報に基づいて、前記外部機器への前記コンテンツデータの送信を再開する手段とを具備することを特徴とする電子機器。
【請求項２】
前記コンテンツデータはオーディオデータを含み、
前記外部機器は、前記電子機器から無線信号によって送信されるオーディオデータのストリームを再生するように構成されていることを特徴とする請求項１記載の電子機器。
【請求項３】
前記外部機器は、前記電子機器との無線通信が可能なヘッドフォンであることを特徴とする請求項２記載の電子機器。
【請求項４】
前記ステータス情報を保存する手段は、前記切断によって送信が中断されたコンテンツデータを識別するためのコンテンツ識別情報と、前記切断によって送信が中断されたコンテンツデータの送信先であった送信先機器を識別するための機器識別情報とを前記ステータス情報として保存する手段を含み、
前記送信を再開する手段は、
前記電子機器に新たに外部機器が無線接続された場合、前記電子機器に新たに無線接続された外部機器の機器識別情報と前記ステータス情報の機器識別情報とに基づいて、前記電子機器に新たに無線接続された外部機器が、前記コンテンツデータの送信が中断された外部機器であるか否かを判別する手段と、
前記電子機器に新たに無線接続された外部機器が前記コンテンツデータの送信が中断された外部機器であることが判別された場合、前記ステータス情報のコンテンツ識別情報に基づいて、前記電子機器に新たに無線接続された外部機器への前記コンテンツデータの送信を再開する手段を含むことを特徴とする請求項１記載の電子機器。
【請求項５】
前記送信を再開する手段は、前記外部機器への前記コンテンツデータの送信を、前記コンテンツデータの先頭位置から再開する手段を含むことを特徴とする請求項１記載の電子機器。
【請求項６】
前記ステータス情報は、前記切断によって送信が中断されたコンテンツデータを識別するための第１のコンテンツ識別情報と、前記コンテンツデータのどの位置で送信が中断されたかを識別するための第２のコンテンツ識別情報とを含み、
前記送信を再開する手段は、前記第１のコンテンツ識別情報と前記第２のコンテンツ識別情報とに基づいて、前記切断によって送信が中断されたコンテンツデータをその送信が中断された位置から前記外部機器に送信する手段を含むことを特徴とする請求項１記載の電子機器。
【請求項７】
前記ステータス情報を保存する手段は、前記切断によってコンテンツデータの送信が中断される度に、前記送信が中断されたコンテンツデータを識別するためのコンテンツ識別情報と前記送信が中断されたコンテンツデータの送信先であった送信先機器を識別するための機器識別情報とを含むステータス情報を保存する手段を含み、
前記送信を再開する手段は、
前記電子機器に新たに外部機器が無線接続された場合、前記ステータス情報を保存する手段によって保存されたステータス情報の中から、前記新たに無線接続された外部機器を送信先機器として指定する機器識別情報を含むステータス情報を検索する手段と、
前記検索されたステータス情報に含まれるコンテンツ識別情報で指定されるコンテンツデータを、前記新たに無線接続された外部機器に無線信号によって送信する手段とを含むことを特徴とする請求項１記載の電子機器。
【請求項８】
前記送信を再開する手段の動作モードを、前記送信が中断されたコンテンツデータをその送信が中断された位置から送信する第１の動作モードと、前記送信が中断されたコンテンツデータをその先頭位置から送信する第２の動作モードの一方に設定する手段をさらに具備することを特徴とする請求項１記載の電子機器。
【請求項９】
電子機器から無線信号によって送信されるコンテンツデータを再生可能な外部機器を用いて、コンテンツデータの再生を行うコンテンツ再生方法であって、
再生対象のコンテンツデータを前記電子機器からそれに無線接続された前記外部機器に無線信号によって送信するステップと、
前記コンテンツデータの送信中に前記外部機器と前記電子機器との間の無線接続が切断された場合、前記切断によって送信が中断されたコンテンツデータに関するステータス情報を保存するステップと、
前記電子機器と前記外部機器との無線接続が新たに確立された場合、前記ステータス情報に基づいて、前記電子機器から前記外部機器への前記コンテンツデータの送信を再開するステップとを具備することを特徴とするコンテンツ再生方法。
【請求項１０】
前記コンテンツデータはオーディオデータを含み、
前記外部機器は、前記電子機器から無線信号によって送信されるオーディオデータのストリームを再生するように構成されていることを特徴とする請求項９記載のコンテンツ再生方法。
【請求項１１】
前記外部機器は、前記電子機器との無線通信が可能なヘッドフォンであることを特徴とする請求項１０記載のコンテンツ再生方法。
【請求項１２】
前記ステータス情報を保存するステップは、前記切断によって送信が中断されたコンテンツデータを識別するためのコンテンツ識別情報と、前記切断によって送信が中断されたコンテンツデータの送信先であった送信先機器を識別するための機器識別情報とを前記ステータス情報として保存するステップを含み、
前記送信を再開するステップは、
前記電子機器に新たに外部機器が無線接続された場合、前記電子機器に新たに無線接続された外部機器の機器識別情報と前記ステータス情報の機器識別情報とに基づいて、前記電子機器に新たに無線接続された外部機器が、前記コンテンツデータの送信が中断された外部機器であるか否かを判別するステップと、
前記電子機器に新たに無線接続された外部機器が前記コンテンツデータの送信が中断された外部機器であることが判別された場合、前記ステータス情報のコンテンツ識別情報に基づいて、前記電子機器に新たに無線接続された外部機器への前記コンテンツデータの送信を再開するステップを含むことを特徴とする請求項９記載のコンテンツ再生方法。
【請求項１３】
前記送信を再開するステップは、前記外部機器への前記コンテンツデータの送信を、前記コンテンツデータの先頭位置から再開するステップを含むことを特徴とする請求項９記載のコンテンツ再生方法。
【請求項１４】
前記ステータス情報は、前記切断によって送信が中断されたコンテンツデータを識別するための第１のコンテンツ識別情報と、前記コンテンツデータのどの位置で送信が中断されたかを識別するための第２のコンテンツ識別情報とを含み、
前記送信を再開するステップは、前記第１のコンテンツ識別情報と前記第２のコンテンツ識別情報とに基づいて、前記切断によって送信が中断されたコンテンツデータをその送信が中断された位置から前記外部機器に送信するステップを含むことを特徴とする請求項９記載のコンテンツ再生方法。
【請求項１５】
前記ステータス情報を保存するステップは、前記切断によってコンテンツデータの送信が中断される度に、前記送信が中断されたコンテンツデータを識別するためのコンテンツ識別情報と前記送信が中断されたコンテンツデータの送信先であった送信先機器を識別するための機器識別情報とを含むステータス情報を保存するステップを含み、
前記送信を再開するステップは、
前記電子機器に新たに外部機器が無線接続された場合、前記ステータス情報を保存するステップによって保存されたステータス情報の中から、前記新たに無線接続された外部機器を送信先機器として指定する機器識別情報を含むステータス情報を検索するステップと、
前記検索されたステータス情報に含まれるコンテンツ識別情報で指定されるコンテンツデータを、前記新たに無線接続された外部機器に無線信号によって送信するステップとを含むことを特徴とする請求項９記載のコンテンツ再生方法。
【請求項１６】
前記送信を再開するステップの動作モードを、前記送信が中断されたコンテンツデータをその送信が中断された位置から送信する第１の動作モードと、前記送信が中断されたコンテンツデータをその先頭位置から送信する第２の動作モードの一方に設定するステップをさらに具備することを特徴とする請求項９記載のコンテンツ再生方法。
【発明の詳細な説明】
【０００１】
【発明の属する技術分野】
本発明はコンテンツデータを外部機器に無線信号によって送信する電子機器およびコンテンツ再生方法に関する。
【０００２】
【従来の技術】
近年、無線通信技術としてＢｌｕｅｔｏｏｔｈ（Ｒ）が注目されている。Ｂｌｕｅｔｏｏｔｈ（Ｒ）は低価格、低消費電力で、モバイル機器に適した、近距離の無線通信技術である。用途としては、ユーザ各個人個人が所有するさまざまなモバイル情報機器を相互に接続するために使われる。機器間は無線接続されるので、従来の有線による接続に比較して、自由、簡単、手軽に様々な機器同士を接続することができる。
【０００３】
無線通信を利用したシステムの１つとして、音楽プレーヤなどの電子機器から、ヘッドフォンなどの外部機器に対して音楽データを無線信号によって送信するシステムが知られている（例えば、特許文献１参照。）。
【０００４】
しかし、このようなシステムにおいては、音楽プレーヤとヘッドフォンとの間の物理的距離、遮蔽物の有無、または電波状態等によって、音楽再生中に音楽プレーヤとヘッドフォンとの間の無線接続が突然切断されてしまう場合がある。
【０００５】
ヘッドフォンを装着したユーザが音楽プレーヤに近づくことなどによって音楽プレーヤとヘッドフォンとを再接続することは可能であるが、無線接続の切断によって中断された音楽データの再生を再開するためには、ユーザ自身が再生再開のための操作を行う必要がある。
【０００６】
無線伝送に関する信頼性を向上させる技術としては、従来では、音楽データの一部に送信エラーが発生したときにその一部のデータを再送信する音楽データ伝送システムが知られている（例えば、特許文献２参照。）。これは、エラーが検出されたデータを再送するという再送訂正方式である。
【０００７】
さらに、ネットワークを介して音楽配信サーバから音楽データをダウンロード可能な無線携帯端末装置も知られている（例えば、特許文献３参照。）。この無線携帯端末装置は、音楽配信サーバからの音楽データのダウンロードが途中で中断された場合、ダウンロード中断以後の音楽データを再び音楽配信サーバからダウンロードする機能を有している。
【０００８】
【特許文献１】
特開２００２−１１２３８３号公報（第５−６頁、第４図）
【０００９】
【特許文献２】
特開２００１−１８６０６０号公報（第４−５頁、第６図）
【００１０】
【特許文献３】
特開２００２−２１７８１０号公報（第３−４頁、第１図）
【００１１】
【発明が解決しようとする課題】
しかし、上記特許文献３の技術は、音楽配信サーバからのダウンロードの再開に関する制御をすべて受信側である無線携帯端末装置で行うことを前提としている。
【００１２】
音楽プレーヤなどの電子機器から無線信号によって送信される音楽をワイヤレスヘッドフォンで再生するワイヤレスヘッドフォンシステムにおいては、受信側となる機器はワイヤレスヘッドフォンである。ワイヤレスヘッドフォンはユーザの頭部に装着して使用されるものであるため、その小型化、軽量化を図るために、ワイヤレスヘッドフォン側に設けることが可能な機能は大きく制限される。よって、送信側となる音楽プレーヤなどの電子機器側で、音楽データの再生再開に関する制御を自動的に行う仕組みを実現することが望まれている。
【００１３】
Ｂｌｕｅｔｏｏｔｈ（Ｒ）を利用したワイヤレスヘッドフォンシステムにおいては、音楽プレーヤには様々な機器が無線接続される可能性がある。よって、音楽プレーヤに新たに無線接続された機器が、以前に音楽データの再生が中断された機器であるかどうかを判別する仕組みも必要となる。
【００１４】
本発明は上述の事情を考慮してなされたものであり、ヘッドフォンなどの外部機器との間の無線接続の切断によって中断された音楽等のコンテンツデータの再生を自動的に再開することが可能な電子機器およびコンテンツ再生方法を提供することを目的とする。
【００１５】
【課題を解決するための手段】
上述の課題を解決するため、本発明は、コンテンツデータを再生可能な外部機器に無線接続可能な電子機器において、再生対象のコンテンツデータを前記電子機器に無線接続された前記外部機器に無線信号によって送信する手段と、前記コンテンツデータの送信中に前記外部機器と前記電子機器との間の無線接続が切断された場合、前記切断によって送信が中断されたコンテンツデータに関するステータス情報を保存する手段と、前記電子機器と前記外部機器との無線接続が新たに確立された場合、前記ステータス情報に基づいて、前記外部機器への前記コンテンツデータの送信を再開する手段とを具備することを特徴とする。
【００１６】
この電子機器によれば、外部機器との無線接続の切断によってコンテンツデータの送信が中断された場合、その送信が中断されたコンテンツデータに関するステータスデータが保存される。そして、外部機器との無線接続が新たに確立された場合には、ステータス情報に基づいて、中断されたコンテンツデータの送信処理が自動的に再開される。よって、ユーザはコンテンツデータの再生再開のための特別な操作を行うことなく、無線接続の切断によって中断された音楽等のコンテンツデータの再生を自動的に再開することができる。
【００１７】
【発明の実施の形態】
以下、図面を参照して本発明の実施の形態を説明する。
図１には、本発明の一実施形態に係る電子機器１０の構成が示されている。この電子機器１０は、音楽などのコンテンツデータをストリームとして外部機器２０に無線信号によって送信可能な装置である。ここでは、電子機器１０を携帯型のオーディオプレーヤによって実現し、また外部機器２０をワイヤレスヘッドフォン２０によって実現した場合を想定する。ワイヤレスヘッドフォン２０は、オーディオプレーヤ１０からストリームとして送信される音楽等のオーディオデータを再生する出力装置として機能する。
【００１８】
オーディオプレーヤ１０は、図示のように、システム制御部３１、送信データ生成部３２、無線通信デバイス３３、オーディオデータ記憶部３４、ステータスデータベース３５、およびユーザインタフェース３６を備えている。
【００１９】
システム制御部３１はオーディオプレーヤ１０の動作を制御するために設けられたプロセッサであり、送信データ生成部３２、無線通信デバイス３３等をそれぞれ制御する。
【００２０】
送信データ生成部３２は、音楽等の再生対象のオーディオデータをオーディオデータ記憶部３４から読み出し、その読み出したオーディオデータから送信用のデジタルオーディオストリームを生成する。このオーディオストリームはシステム制御部３１を介して無線通信デバイス３３に送られ、そして無線信号によってヘッドフォン２０に送信される。
【００２１】
無線通信デバイス３３は、ヘッドフォン２０との間の無線通信を実行するデバイスであり、例えばＢｌｕｅｔｏｏｔｈ（Ｒ）の規格に準拠した手順で無線通信を実行する。この無線通信デバイス３３は、音楽等のオーディオデータを無線信号によってヘッドフォン２０にストリームとして送信するために用いられる。
【００２２】
Ｂｌｕｅｔｏｏｔｈ（Ｒ）は近距離無線通信の規格である。Ｂｌｕｅｔｏｏｔｈ（Ｒ）においては、マスタとそれに無線接続された１以上のスレーブとの間で無線通信を実行するというマスタ・スレーブ形式が用いられている。オーディオプレーヤ１０とヘッドフォン２０との間の通信においては、オーディオプレーヤ１０がマスタとして機能し、ヘッドフォン２０がスレーブとして機能する。
【００２３】
Ｂｌｕｅｔｏｏｔｈ（Ｒ）においては、音楽等のオーディオデータのストリーミング再生を行うためのプロファイルとして、Ａｄｖａｎｃｅｄ　Ａｕｄｉｏ　Ｄｉｓｔｒｉｂｕｔｉｏｎ　Ｐｒｏｆｉｌｅ（Ａ２ＤＰ）が規定されている。オーディオプレーヤ１０はオーディオのストリームデータを送信する送信元装置（Ｂｌｕｅｔｏｏｔｈ（Ｒ）においてはｓｏｒｃｅデバイスと称される）として機能し、ヘッドフォン２０はオーディオのストリームデータの送信先となる送信先機器（Ｂｌｕｅｔｏｏｔｈ（Ｒ）においてはｓｉｎｋデバイスと称される）として機能する。
【００２４】
無線通信デバイス３３は、図示のように、ＲＦ部１０１、デジタルデータ変調部１０２、およびデジタルデータ復調部１０３を備えている。デジタルデータ変調部１０２およびデジタルデータ復調部１０３はベースバンド処理部として機能する。
【００２５】
オーディオデータ記憶部３４はオーディオデータを記憶するための不揮発性記憶装置であり、例えば、メモリカード、ハードディスクドライブなどから構成されている。このオーディオデータ記憶部３４は、音楽等の複数のオーディオデータを記憶することが出来る。
【００２６】
ステータスデータベース３５は、オーディオプレーヤ１０とヘッドフォン２０との間の無線接続の切断によって送信が中断されたオーディオデータに関するステータス情報を記憶するためのデータベースである。ステータスデータベース３５は、オーディオデータ記憶部３４と同一の不揮発性記憶装置上、または異なる不揮発性記憶装置上に構築される。ステータスデータベース３５に記憶されたステータス情報は、無線接続の切断によって中断されたオーディオデータの送信処理を自動的に再開するために用いられる。
【００２７】
中断されたオーディオデータの送信の再開するために、システム制御部３１は、ステータスデータ管理部４１および送信再開制御部４２を備えている。ステータスデータ管理部４１は、オーディオプレーヤ１０からヘッドフォン２０へのオーディオデータの送信中にオーディオプレーヤ１０とヘッドフォン２０との間の無線接続が切断された時、その切断によって送信が中断されたオーディオデータに関するステータスデータをステータスデータベース３５に保存する。送信再開制御部４２は、切断によってオーディオデータの送信が中断されたヘッドフォン２０と同一のヘッドフォンがオーディオプレーヤ１０に無線接続された時に、ステータスデータベース３５に保存されたステータスデータに基づいて、中断されたオーディオデータの送信を再開する。
【００２８】
システム制御部３１は、さらに、エラーが検出されたデータを再送するという再送訂正方式を実現するために、再送制御部４３を備えている。この再送制御部４３は、ヘッドフォン２０によって誤りが検出されたデータと同一のデータをヘッドフォン２０に再送信する。この再送信は、オーディオプレーヤ１０からヘッドフォン２０へのオーディオデータの送信処理の中で実行される手順である。
【００２９】
ユーザインタフェース３６は、ユーザが操作可能な操作スイッチおよび表示モニタなどから構成されている。
【００３０】
ヘッドフォン２０は、オーディオプレーヤ１０から無線信号によって送信されるオーディオデータを再生して、そのオーディオデータに対応する音を発生する出力装置である。ヘッドフォン２０は利用者の頭部に装着可能に構成されている。
【００３１】
このヘッドフォン２０は、図示のように、ヘッドアーム２０１と、その両端にそれぞれ設けられた２つのパッド２０２，２０３とから構成されている。２つのパッド２０２，２０３にはそれぞれスピーカが内蔵されている。
【００３２】
ヘッドフォン２０が利用者の頭部に装着された状態において、２つのパッド２０２，２０３は利用者の左右の耳をそれぞれ覆う。パッド２０２の外面には、５つの操作スイッチ２１〜２５、すなわち電源ボタン２１、再生ボタン２２、停止ボタン２３、先送りボタン２４、および逆戻しボタン２５が設けられている。
【００３３】
電源ボタン２１は、ヘッドフォン２０を電源オンまたは電源オフするための操作ボタンである。再生ボタン２２、停止ボタン２３、先送りボタン２４、および逆戻しボタン２５は、それぞれオーディオプレーヤ１０のオーディオ再生動作を制御するための操作ボタンである。
【００３４】
ユーザは、ヘッドフォン２０の再生ボタン２２、停止ボタン２３、先送りボタン２４、および逆戻しボタン２５を操作することにより、またはオーディオプレーヤ１０のユーザインタフェース３６を操作することによって、オーディオプレーヤ１０のオーディオ再生動作を制御することが出来る。
【００３５】
図２には、ヘッドフォン２０の内部構成が示されている。
ヘッドフォン２０には、上述の操作スイッチ２１〜２５の他、システム制御部５１、無線通信デバイス５２、データバッファ５３、およびオーディオ再生部５４が設けられている。
【００３６】
システム制御部５１は、ヘッドセット２０の動作を制御するために設けられたプロセッサであり、無線通信デバイス５２、およびオーディオ再生部５４等をそれぞれ制御する。
【００３７】
システム制御部５１は、上述の再送訂正方式を実現するために、エラー検出・訂正部６１、および再送要求発行部６２を有している。エラー検出・訂正部６１は、無線通信デバイス５２によって受信されたデータに対してエラー検出および訂正処理を施す。エラー検出・訂正部６１が訂正できないエラーが発生した場合には、再送要求発行部６２は当該データの再送要求を発行する。この再送要求は無線通信デバイス５２によって送信元デバイスに送られる。
【００３８】
無線通信デバイス５２は、オーディオプレーヤ１０の無線通信デバイス３３と同じく、Ｂｌｕｅｔｏｏｔｈ（Ｒ）の規格に準拠した手順で無線通信を実行する。
【００３９】
この無線通信デバイス５２は、オーディオプレーヤ１０から無線信号によって送信される音楽等のオーディオデータを受信するために用いられる。また、無線通信デバイス５２は、再生ボタン２２、停止ボタン２３、先送りボタン２４、および逆戻しボタン２５の操作に応じて各種再生制御信号をオーディオプレーヤ１０に送信する処理等にも利用される。
【００４０】
無線通信デバイス５２は、図示のように、ＲＦ部３０１、デジタルデータ変調部３０２、およびデジタルデータ復調部３０３を備えている。デジタルデータ変調部３０２およびデジタルデータ復調部３０３はベースバンド処理部として機能する。
【００４１】
オーディオ再生部５４は、オーディオプレーヤ１０から送信される音楽等のオーディオデータのストリームを無線通信デバイス５２、システム制御部５１、およびデータバッファ５３を介して受信しながら、それをパッド２０２，２０３にそれぞれ内蔵されたスピーカ５５から音として出力可能な電気信号に変換するという、いわゆるストリーミング再生のためのデータ再生処理を実行する。
【００４２】
次に、図３を参照して、ステータスデータベース３５に保存されるステータスデータの構造の例について説明する。
【００４３】
各ステータスデータは、無線接続の切断によってオーディオ再生が中断された時の状態を管理するために、相手側機器ＩＤ、アルバムＩＤ、曲ＩＤ、既演奏時間を含む。
【００４４】
相手側機器ＩＤは、切断によって送信が中断された音楽データの送信先であった送信先機器を識別するための機器識別情報である。この機器識別情報は、オーディオプレーヤ１０に新たに無線接続された機器が、以前にオーディオデータの再生中に無線接続の切断によってその再生が中断された機器と同一の機器であるかどうかを判別するために用いられる。
【００４５】
アルバムＩＤは、切断によって送信が中断された音楽データが属するアルバムを識別するためのコンテンツ識別情報である。アルバムは、互いに関連する複数の音楽データから構成されている。
【００４６】
曲ＩＤは、切断によって送信が中断された音楽データを識別するためのコンテンツ識別情報である。
【００４７】
既演奏時間は、音楽データのどの位置で送信が中断されたかを識別するためのコンテンツ識別情報であり、音楽データの再生停止位置を管理するために利用される。この既演奏時間は、音楽データの再生開始時点からその音楽データの送信が停止されるまでの時間つまり既に再生済みの演奏時間を示している。既演奏時間は、音楽データの送信をその中断位置から再開するために利用される。もちろん、音楽データの送信をその先頭位置から再開してもよい。
【００４８】
次に、図４を参照して、オーディオデータの送信中にオーディオプレーヤ１０とヘッドフォン２０との間の無線接続が切断された場合に実行される動作について説明する。
【００４９】
オーディオプレーヤ１０とヘッドフォン２０は既に無線接続されているものとする。オーディオプレーヤ１０はマスタとして機能し、ヘッドフォン２０はオーディオプレーヤ１０にスレーブとして無線接続されている。
【００５０】
（１）オーディオプレーヤ１０は、オーディオデータを無線信号によってヘッドフォン２０に送信する。この場合、送信データ生成部３２から出力されるオーディオデータのストリームは、システム制御部３１を介して無線通信デバイス３３に送られる。無線通信デバイス３３は、それに無線接続されているヘッドフォン２０にオーディオデータのストリームを無線信号によって送信する。ヘッドフォン２０は、オーディオデータのストリームを受信しながら、それを再生する（ストリーミング再生）。
【００５１】
（２）もしヘッドフォン２０を装着したユーザがオーディオプレーヤ１０との通信可能範囲外に移動したならば、あるいは他の何らかの通信障害が発生したならば、オーディオプレーヤ１０とヘッドフォン２０との間の無線接続は切断される。オーディオプレーヤ１０とヘッドフォン２０との間の無線接続が切断されたならば、ヘッドフォン２０からオーディオプレーヤ１０には何等応答が返送されない。オーディオプレーヤ１０のシステム制御部１１は、オーディオプレーヤ１０からの応答が途絶えたことによって、オーディオプレーヤ１０とヘッドフォン２０との間の無線接続が切断されたと判断する。オーディオプレーヤ１０およびヘッドフォン２０は、それぞれ切断状態に移行する。
【００５２】
ユーザがヘッドフォン２０を電源オフした場合にも、オーディオプレーヤ１０とヘッドフォン２０との間の無線接続は切断される。この場合も、ヘッドフォン２０からオーディオプレーヤ１０には何等応答が返送されない。オーディオプレーヤ１０のシステム制御部１１は、オーディオプレーヤ１０からの応答が途絶えたことによって、オーディオプレーヤ１０とヘッドフォン２０との間の無線接続が切断されたと判断する。
【００５３】
なお、ヘッドフォン２０の電源ボタン２１が通信終了ボタンとしての機能を兼ねているならば、電源ボタン２１のオフ操作に応答して、ヘッドフォン２０からオーディオプレーヤ１０に切断要求が通知される。この切断要求に応答して、ヘッドフォン２０とオーディオプレーヤ１０との間で通常の切断手続きが実行される。オーディオプレーヤ１０およびヘッドフォン２０は、それぞれ切断状態に移行する。この場合も、もしユーザによるオーディオ再生の停止操作が行われずに電源ボタン２１のオフ操作が行われたならば、オーディオデータの送信中にオーディオプレーヤ１０とヘッドフォン２０との間の無線接続が切断されることになる。ヘッドフォン２０の電源オフは、電源ボタン２１がオフ操作された場合のみならず、ヘッドフォン２０のバッテリが低下した場合にも発生する。
【００５４】
（３）オーディオデータの送信中にオーディオプレーヤ１０とヘッドフォン２０との間の無線接続が切断された時、システム制御部１１は、切断によって送信が中断されたオーディオデータに関するステータスデータ（相手側機器ＩＤ、アルバムＩＤ、曲ＩＤ、および既演奏時間）をステータスデータベース３５に保存する。相手側機器ＩＤは、ヘッドフォン２０の機器ＩＤである。ヘッドフォン２０の機器ＩＤは、ヘッドフォン２０との無線接続を確立する手順の中でオーディオプレーヤ１０によって認識されたものである。
【００５５】
次に、図５を参照して、オーディオプレーヤ１０とヘッドフォン２０との間の再接続時に実行される動作について説明する。
【００５６】
（１）もしヘッドフォン２０を装着したユーザが、オーディオプレーヤ１０との通信可能範囲内に戻ったならば、あるいはユーザがヘッドフォン２０を電源オンしたならば、オーディオプレーヤ１０はヘッドフォン２０の存在を検出し、無線通信デバイス３３を用いてヘッドフォン２０との間の無線接続を確立するための処理を実行する。この無線接続の確立により、システム制御部３１は、オーディオプレーヤ１０に新たに無線接続されたヘッドフォン２０の機器ＩＤを得ることが出来る。
【００５７】
（２）システム制御部３１は、ステータスデータベース３５に記憶されているステータスデータそれぞれの機器ＩＤと、新たに無線接続されたヘッドフォン２０の機器ＩＤとを比較することによって、新たに無線接続されたヘッドフォン２０が以前にオーディオデータの送信が中断された機器と同一の機器であるかどうかを判別する。
【００５８】
（３）新たに無線接続されたヘッドフォン２０が以前にオーディオデータの送信が中断された機器である場合、つまり新たに無線接続されたヘッドフォン２０と同一の機器ＩＤを含むステータスデータがステータスデータベース３５に存在する場合には、システム制御部３１は、当該ステータスデータに基づいて、新たに無線接続されたヘッドフォン２０へのオーディオデータの送信を再開する。以前に送信が中断されたオーディオデータのストリームがオーディオプレーヤ１０からヘッドフォン２０に送信され、これによりヘッドフォン２０によるオーディオデータの再生が再開される。
【００５９】
このようにして、切断によってオーディオデータの送信が中断された時に保存したステータスデータに基づいて、中断されたオーディオデータの送信処理が自動的に再開される。よって、ユーザはオーディオ再生再開のための特別な操作を行うことなく、オーディオデータの再生を再開することができる。
【００６０】
オーディオデータの送信は、そのオーディオデータの先頭位置、またはステータスデータの既演奏時間で示される中断位置から再開される。先頭位置および中断位置のどちらから送信を再開するかは、ユーザが予め設定することが出来る。さらに、ステータスデータのアルバムＩＤで指定されるアルバムに属する先頭のオーディオデータから送信を開始するという応用も可能である。
【００６１】
次に、図６のフローチャートを参照して、オーディオプレーヤ１０によって実行される具体的な処理手順について説明する。
【００６２】
ヘッドフォン２０は電源オフされており、またオーディオプレーヤ１０はヘッドフォン２０に無線接続されていない状態であるとする（ステップＳ１１１）。
【００６３】
ユーザは、ヘッドフォン２０を頭部に装着し、そして電源ボタン２１を押す。これにより、ヘッドフォン２０は電源オンされる。ヘッドフォン２０が電源オンされると（ステップＳ１１２のＹＥＳ）、オーディオプレーヤ１０の無線通信デバイス３３はヘッドフォン２０の存在を検出し（デバイス検出）、ヘッドフォン２０との間の無線接続を確立する（ステップＳ１１３）。
【００６４】
電源オンされたヘッドフォン２０を装着したユーザがヘッドフォン２０との通信可能範囲内に戻った場合にも、オーディオプレーヤ１０はヘッドフォン２０との間の無線接続を確立する。
【００６５】
オーディオプレーヤ１０のシステム制御部３１は、ステータスデータベース３５からそこに記憶されているステータスデータそれぞれを読み出し、そしてそれらステータスデータの中から、ステップＳ１１３で接続したヘッドフォン２０と同一の機器ＩＤを持つステータスデータを検索する（ステップＳ１１４，Ｓ１１５）。
【００６６】
ヘッドフォン２０と同一の機器ＩＤを持つステータスデータが見つかった場合には（ステップＳ１１５のＹＥＳ）、システム制御部３１は、当該ステータスデータに含まれる曲ＩＤで指定されるオーディオデータを、再生すべきオーディオデータであると決定する（ステップＳ１１６）。そして、システム制御部３１は、送信データ生成部３２および無線通信デバイス３３を制御して、曲ＩＤで指定されるオーディオデータのストリームを無線信号によってヘッドフォン２０に送信する処理を開始する（ステップＳ１１７）。オーディオデータの送信を中断位置から再開するモードにおいては、システム制御部３１は、該当するステータスデータに含まれる既演奏時間を送信データ生成部３２に通知して、その既演奏時間に対応する位置からオーディオデータのストリームが生成されるように送信データ生成部３２を制御する。ヘッドフォン２０は、オーディオデータのストリームを受信しながら、それを再生する。
【００６７】
一方、ヘッドフォン２０と同一の機器ＩＤを持つステータスデータが見つからなかった場合には（ステップＳ１１５のＮＯ）、システム制御部３１は、再生開始命令を待つ（ステップＳ１１８）。ユーザがヘッドフォン２０の再生ボタン２２を押した場合、ヘッドフォン２０からオーディオプレーヤ１０に再生開始命令が送信される。再生開始命令を無線通信デバイス３３を介して受信すると（ステップＳ１１８のＹＥＳ）、システム制御部３１は、例えば、オーディオデータ記憶部３４の先頭に記憶されているオーディオデータを再生すべきオーディオデータであると決定し、そして送信データ生成部３２および無線通信デバイス３３を制御して、当該オーディオデータのストリームを無線信号によってヘッドフォン２０に送信する処理を開始する（ステップＳ１１７）。ヘッドフォン２０は、オーディオデータのストリームを受信しながら、それを再生する。
【００６８】
なお、ユーザは、先送りボタン２４または逆戻しボタン２５を操作することにより、再生対象のオーディオデータを変更することが出来る。
【００６９】
オーディオデータの再生中においてユーザが停止ボタン２３を押すと、再生中止命令がヘッドフォン２０からオーディオプレーヤ１０に無線信号によって送信される。
【００７０】
再生停止命令を無線通信デバイス３３を介して受信すると（ステップＳ１１９のＹＥＳ）、システム制御部３１は、オーディオプレーヤ１０からヘッドフォン２０へのオーディオデータの送信を停止する（ステップＳ１２０）。送信データ生成部３２の動作も停止される。オーディオプレーヤ１０とヘッドフォン２０との間の無線接続は切断されずに、接続状態のまま維持される。
【００７１】
一方、オーディオデータの再生中においてユーザが電源ボタン２１を押してヘッドフォン２０を電源オフした場合、あるいはヘッドフォン２０を装着したユーザがオーディオプレーヤ１０との無線通信可能範囲外に移動した場合には、オーディオプレーヤ１０とヘッドフォン２０との間の無線接続が切断される。この無線接続の切断を検知すると（ステップＳ１２１のＹＥＳ）、システム制御部３１は、現在送信中のオーディオデータに関するステータスデータ（相手側機器ＩＤ、アルバムＩＤ、曲ＩＤ、既演奏時間）をステータスデータベース３５に保存すると共に、オーディオデータの送信処理を停止する（ステップＳ１２２，Ｓ１２３）。
【００７２】
なお、図６の例では、ヘッドフォン２０からの再生開始命令を待たずに、中断されたオーディオデータの送信処理を再開したが、ヘッドフォン２０からの再生開始命令に応答して、オーディオデータの送信処理を再開するようにしても良い。
【００７３】
次に、再接続時に自動実行されるオーディオデータの送信処理の動作モード（自動演奏再開モード）をあらかじめユーザに選択させることによって、ユーザの好みによって自動演奏再開モードを任意に変更する構成について説明する。
【００７４】
図７においては、ステータスデータに、上述の相手側機器ＩＤ、アルバムＩＤ、曲ＩＤ、および既演奏時間に加え、自動演奏再開モードを追加した例が示されている。自動演奏再開モードには、タイプ０〜３の４つのモードが規定されている。
【００７５】
タイプ０の自動演奏再開モードは、演奏中だった曲の切断された時点の続きから演奏（オーディオストリームの送信）を再開するモードである。このモードでは、曲ＩＤと既演奏時間に従って、無線接続の切断によって送信が中断されたオーディオデータのストリームがその中断位置から送信される。
【００７６】
タイプ１の自動演奏再開モードは、演奏中だった曲を最初から演奏（オーディオストリームの送信）を再開するモードである。このモードでは、曲ＩＤに従って、無線接続の切断によって送信が中断されたオーディオデータのストリームがその先頭位置から送信される。
【００７７】
タイプ２の自動演奏再開モードは、演奏中だった曲を含むアルバムの先頭の曲から演奏（オーディオストリームの送信）を再開するモードである。
【００７８】
タイプ３の自動演奏再開モードは、演奏を自動的に再開しないモードである。
【００７９】
ユーザは、例えばオーディオプレーヤ１０のユーザインタフェース３６を操作することにより、タイプ０〜３の４つのモードの中の任意の一つのモードを選択することができる。オーディオプレーヤ１０は、選択されたモードに従って、動作する。
【００８０】
なお、互いに自己のヘッドフォンを所有する複数のユーザがオーディオプレーヤ１０を共用する場合には、各ユーザのヘッドフォンの機器ＩＤ毎に、当該ユーザが選択した自動演奏再開モードのタイプを管理すればよい。
【００８１】
図７においては、各ステータスデータとして自動演奏再開モードのタイプを保持しているので、新たに無線接続されたヘッドフォンの機器ＩＤに応じて、実行すべき自動演奏再開モードのタイプを決定することができる。
【００８２】
以上のように、本実施形態のシステムによれば、オーディオデータの再生が中断された時のステータスをオーディオプレーヤ１０側で管理することにより、ヘッドフォン２０側にはオーディオデータの再生再開に関する特別な機能を設けることなく、再接続時にオーディオデータの再生を自動的に再開することが可能となる。さらに、ステータスデータには機器ＩＤが含まれているので、以前にオーディオデータの送信が中断された機器と同一の機器が再接続された時にのみ、オーディオデータの再生を再開することができる。
【００８３】
なお、本実施形態においては、オーディオプレーヤ１０から無線信号によって送信されるオーディオデータのストリームをヘッドフォン２０で再生する場合を想定したが、ヘッドフォン２０に送信するコンテンツデータはオーディオデータに限られない。
【００８４】
例えば、ヘッドフォン２０がビデオモニタ等の表示装置を有している場合には、ビデオプレーヤ等の電子機器から無線信号によって送信される映像データ等のストリームをヘッドフォン２０の表示装置で表示することも出来る。この場合にも、上述のステータスデータをビデオプレーヤ側で管理することにより、切断によって中断された映像データの送信を自動的に再開することが出来る。このように、本実施形態の仕組みは、オーディオ・ビデオ等の様々なストリームデータを無線信号によって送信する無線伝送システムに適用することが可能である。
【００８５】
また、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００８６】
【発明の効果】
以上説明したように、本発明によれば、無線接続の切断によって中断された音楽等のコンテンツデータの再生を自動的に再開することが可能となる。
【図面の簡単な説明】
【図１】本発明の一実施形態に係る電子機器を用いた無線通信システムを示すブロック図。
【図２】図１の無線通信システムで用いられるヘッドフォンの機能構成を示すブロック図。
【図３】図１の無線通信システムにおいて電子機器によって管理されるステータスデータの例を示す図。
【図４】図１の無線通信システムにおいて電子機器とヘッドフォンとの間の無線接続が切断された場合に電子機器によって実行される動作を説明するための図。
【図５】図１の無線通信システムにおいて電子機器とヘッドフォンとが再接続された場合に電子機器によって実行される動作を説明するための図。
【図６】図１の無線通信システムにおいて電子機器によって実行される処理の具体的な手順を説明するフローチャート。
【図７】図１の無線通信システムにおいて電子機器によって管理されるステータスデータの他の例を示す図。
【符号の説明】
１０…オーディオプレーヤ
２０…ヘッドフォン
３１，５１…システム制御部
３２…送信データ生成部
３３，５２…無線通信デバイス
３４…オーディオデータ記憶部
３５…ステータスデータベース
４１…ステータスデータ管理部
４２…送信再開制御部
５４…オーディオ再生部
５５…スピーカ
【図１】
2004128673.tif 000003
【図２】
2004128673.tif 000004
【図３】
2004128673.tif 000005
【図４】
2004128673.tif 000006
【図５】
2004128673.tif 000007
【図６】
2004128673.tif 000008
【図７】
2004128673.tif 000009